(57)【要約】【課題】簡単な構造でユーザに提供する情報の表示形態を交換可能にする取付具及び装飾体を提供する。【解決手段】ボード本体１１と一以上のユニット２０と、を備え、ボード本体１１の前面にはＬ字状の一方の金具３１が取り付けられ、ユニット２０の裏面にはＬ字状の他方の金具３５が取り付けられており、一方の金具３１のうちボード本体１１の前面から延びる部位３２の上面には一方の永久磁石４１が取り付けられ、他方の金具３５のうちユニット２０の裏面から延びる部位３６の下面には他方の永久磁石４２が取り付けられており、ユニット２０がボード本体１１の前側に配置されて、他方の永久磁石４２で一方の金具３１を吸着し、一方の永久磁石４１で他方の金具３５を吸着することにより、ユニット２０がボード本体１１に取り付けられる。【選択図】図１
2018092197.tif 000002
【特許請求の範囲】
【請求項１】
片部を含んでなる一方の金具と、片部を含んでなる他方の金具と、を備え、
前記一方の金具の片部は、リング状の第１の永久磁石の中空を挿通した第１のねじ部材の軸部が挿通される貫通孔を有しており、
前記他方の金具の片部は、リング状の第２の永久磁石の中空を挿通した第２のねじ部材の軸部が挿通される貫通孔を有しており、
前記一方の金具が支持部材に固定され、前記他方の金具が被取付部材に固定され、前記一方の金具と前記他方の金具の各片部を対向して配置されて、前記第１の永久磁石が前記他方の金具の片部を吸着し、前記第２の永久磁石が前記一方の金具の片部を吸着することにより、前記被取付部材が支持部材に取り付けられる、取付具。
【請求項２】
前記一方の金具において、前記貫通孔に挿通された前記第１のねじ部材又は前記貫通孔以外の貫通孔に挿通したねじ部材に対して、給電配線の端子が装着され、
前記他方の金具において、前記貫通孔に挿通された前記第２のねじ部材又は前記貫通孔以外の貫通孔に挿通したねじ部材に対して、給電配線の端子が装着され、
前記一方の金具及び前記他方の金具により給電配線同士を電気的に接続する、請求項１に記載の取付具。
【請求項３】
前記一方の金具及び前記他方の金具の何れか又は双方が、前記片部と別の片部とを連結してＬ字状を有する、請求項１又は２に記載の取付具。
【請求項４】
文字、図形、記号の少なくとも何れかが付された前記被取付部材としてのボード本体と、文字、図形、記号の少なくとも何れかが付された前記支持部材としての一以上のユニットと、請求項３に記載の取付具と、を備え、
前記一方の金具が前記ボード本体の前面に取り付けられ、
前記他方の金具が前記ユニットの裏面に取り付けられ、
前記一方の金具及び前記他方の金具により前記ユニットを前記ボード本体に取り付けた、装飾体。
【請求項５】
文字、図形、記号の少なくとも何れかが付された前記被取付部材としてのユニット又はボードと、横木を支柱で支持して構成した前記支持部材としての支持台と、請求項３に記載の取付具と、を備え、
前記一方の金具が前記ユニット又はボードに取り付けられ、
前記他方の金具が前記横木に取り付けられ、
前記一方の金具及び前記他方の金具により前記ユニット又はボードを前記支持台に取り付けた、装飾体。
【請求項６】
文字、図形、記号の少なくとも何れかが付されたボード本体と、文字、図形、記号の少なくとも何れかが付された一以上のユニットと、を備え、
前記ボード本体の前面には屈曲した一方の金具が取り付けられ、前記ユニットの裏面には屈曲した他方の金具が取り付けられており、
前記一方の金具のうち前記ボード本体の前面から延びる部位の上面には一方の永久磁石が取り付けられ、前記他方の金具のうち前記ユニットの裏面から延びる部位の下面には他方の永久磁石が取り付けられており、
前記ユニットが前記ボード本体の前側に配置されて、前記他方の永久磁石が前記一方の金具を吸着し、前記一方の永久磁石が前記他方の金具を吸着することにより、前記ユニットが前記ボード本体に取り付けられた、装飾体。
【請求項７】
前記ユニットには一又は複数の発光モジュールが取り付けられて前記発光モジュールが配線で接続されており、前記発光モジュールに接続されていない側の配線末端が通電性の締結具により前記他方の金具に固定されており、
外部配線の末端が通電性の締結具により前記一方の金具に固定されており、
前記外部配線から前記発光モジュールに給電される、請求項６に記載の装飾体。
【請求項８】
前記一以上のユニットは、前記ボート本体の中央部に取り付けられるメインユニットと、前記メインユニットに並んで前記ボード本体に取り付けられる一以上のサブユニットと、を含んで構成される、請求項６又は７に記載の装飾体。
【請求項９】
前記メインユニット及び前記サブユニットは、所定の輪郭形状を有するフロント部材と、前記フロント部材と対向するリア部材と、前記フロント部材の輪郭に沿った輪郭形状を有するサイド部材とで、内部空間を画成して構成され、
前記内部空間には発光モジュールが搭載され、
前記メインユニットは、さらに、所定の形状のユニットのパーツが前記フロント部材に装着されて構成されており、前記ユニットのパーツには発光素子が設けられている、請求項８に記載の装飾体。
【請求項１０】
前記発光素子は前記発光モジュールと配線で接続されている、請求項９に記載の装飾体。
【発明の詳細な説明】
【技術分野】
【０００１】
本発明は、広告や看板などの各種媒体を交換し易くするための取付具及びそれを備えた装飾体に関する。
【背景技術】
【０００２】
事業を営む企業では、広告や看板などの各種媒体を用いて人目を引くように工夫している。例えば、直方体の枠組みを構成したフレームに対して６枚のプレートを取り付け、その内部に収容した発光部により内側から照明している。プレートは、透光性を有していて、文字、図形、記号などにより情報を表している。また、各種媒体には後付けでフレームに沿ってＬＥＤ照明が付けられている。
【発明の開示】
【発明が解決しようとする課題】
【０００３】
しかしながら、このような媒体では、別の情報をユーザに提供するためには、別の情報を付したプレートと交換しなければならず、交換も容易にすることができない。
【０００４】
そこで、本発明では、簡単な構造でユーザに提供する情報を付したパーツを容易に交換するための取付具及びそれを備えた装飾体を提供することを一目的とする。また、ＬＥＤなどの発光部品への配線接続の手間を少なくするための取付具及びそれを備えた装飾体を提供することを他の目的とする。
【課題を解決するための手段】
【０００５】
上記目的を達成するために、本発明のコンセプトは次の通りである。
［１］  片部を含んでなる一方の金具と、片部を含んでなる他方の金具と、を備え、
前記一方の金具の片部は、リング状の第１の永久磁石の中空を挿通した第１のねじ部材の軸部が挿通される貫通孔を有しており、
前記他方の金具の片部は、リング状の第２の永久磁石の中空を挿通した第２のねじ部材の軸部が挿通される貫通孔を有しており、
前記一方の金具が支持部材に固定され、前記他方の金具が被取付部材に固定され、前記一方の金具と前記他方の金具の各片部を対向して配置されて、前記第１の永久磁石が前記他方の金具の片部を吸着し、前記第２の永久磁石が前記一方の金具の片部を吸着することにより、前記被取付部材が支持部材に取り付けられる、取付具。
［２］  前記一方の金具において、前記貫通孔に挿通された前記第１のねじ部材又は前記貫通孔以外の貫通孔に挿通したねじ部材に対して、給電配線の端子が装着され、
前記他方の金具において、前記貫通孔に挿通された前記第２のねじ部材又は前記貫通孔以外の貫通孔に挿通したねじ部材に対して、給電配線の端子が装着され、
前記一方の金具及び前記他方の金具により給電配線同士を電気的に接続する、前記［１］に記載の取付具。
［３］  前記一方の金具及び前記他方の金具の何れか又は双方は、前記片部と別の片部とを連結してＬ字状を有する、前記［１］又は［２］に記載の取付具。
［４］  文字、図形、記号の少なくとも何れかが付された前記被取付部材としてのボード本体と、文字、図形、記号の少なくとも何れかが付された前記取付部材としての一以上のユニットと、前記［３］に記載の取付具と、を備え、
前記一方の金具が前記ボード本体の前面に取り付けられ、
前記他方の金具が前記ユニットの裏面に取り付けられ、
前記一方の金具及び前記他方の金具で前記ユニットを前記ボード本体に取り付けた、装飾体。
［５］  文字、図形、記号の少なくとも何れかが付された前記取付部材としてのユニット又はボードと、横木を支柱で支持して構成した前記被取付部材としての支持台と、前記［３］に記載の取付具と、を備え、
前記一方の金具が前記ユニット又はボードに取り付けられ、
前記他方の金具が前記横木に取り付けられ、
前記一方の金具及び前記他方の金具で前記ユニット又はボードを前記支持台に取り付けた、装飾体。
［６］  文字、図形、記号の少なくとも何れかが付されたボード本体と、文字、図形、記号の少なくとも何れかが付された一以上のユニットと、を備え、
前記ボード本体の前面には屈曲した一方の金具が取り付けられ、前記ユニットの裏面には屈曲した他方の金具が取り付けられており、
前記一方の金具のうち前記ボード本体の前面から延びる部位の上面には一方の永久磁石が取り付けられ、前記他方の金具のうち前記ユニットの裏面から延びる部位の下面には他方の永久磁石が取り付けられており、
前記ユニットが前記ボード本体の前側に配置されて、前記他方の永久磁石で前記一方の金具を吸着し、前記一方の永久磁石で前記他方の金具を吸着することにより、前記ユニットが前記ボード本体に取り付けられた、装飾体。
［７］  前記ユニットには一又は複数の発光モジュールが取り付けられて前記発光モジュールが配線で接続されており、前記発光モジュールに接続されていない側の配線末端が通電性の締結具により前記他方の金具に固定されており、
外部配線の末端が通電性の締結具により前記一方の金具に固定されており、
前記外部配線から前記発光モジュールに給電される、前記［６］に記載の装飾体。
［８］  前記一以上のユニットは、前記ボート本体の中央部に取り付けられるメインユニットと、前記メインユニットに並んで前記ボード本体に取り付けられる一以上のサブユニットと、を含んで構成される、前記［６］又は［７］に記載の装飾体。
［９］  前記メインユニット及び前記サブユニットは、所定の輪郭形状を有するフロント部材と、前記フロント部材と対向するリア部材と、前記フロント部材の輪郭に沿った輪郭形状を有するサイド部材とで、内部空間を画成して構成され、
前記内部空間には発光モジュールが搭載され、
前記メインユニットは、さらに、所定の形状のユニットのパーツが前記フロント部材に装着されて構成されており、前記ユニットのパーツには発光素子が設けられている、前記［８］に記載の装飾体。
［１０］  前記発光素子は前記発光モジュールと配線で接続されている、前記［９］に記載の装飾体。
【発明の効果】
【０００６】
本発明によれば、一方の金具の片部が、リング状の第１の永久磁石の中空を挿通した第１のねじ部材の軸部を挿通する貫通孔を有しており、他方の金具の片部が、リング状の第２の永久磁石の中空を挿通した第２のねじ部材の軸部を挿通する貫通孔を有している。よって、一方の金具を支持部材に固定し、他方の金具を被取付部材に固定し、一方の金具と他方の金具の各片部を対向させると、第１の永久磁石が他方の金具の片部を吸着し、第２の永久磁石が一方の金具の片部を吸着する。従って、支持部材としてのボード本体から被取付部材としてのユニットを容易に取り外し可能に取り付けたり、支持部材としての台座から被取付部材としてのユニット又はボードを容易に取り外し可能に取り付けたりすることができる。
【０００７】
本発明によれば、ボード本体の前面には屈曲した一方の金具が取り付けられ、ユニットの裏面には屈曲した他方の金具が取り付けられており、一方の金具のうちボード本体の前面から延びる部位の上面には一方の永久磁石が取り付けられ、他方の金具のうちユニットの裏面から延びる部位の下面には他方の永久磁石が取り付けられている。よって、他方の永久磁石で一方の金具を吸着し、一方の永久磁石で他方の金具を吸着することにより、ユニットがボード本体に取り付けられ、ユニットを適宜交換することができ、簡単な構造でユーザに提供する情報を付したパーツを容易に交換することができる。また、ユニット内の発光モジュールに対して金具の対を介在して配線の接続をすることができ、ユニットをボード本体に取り付けた後に、配線の接続それ自体をする必要がない。このようにして、本発明によればサービスの提供者や需要者のニーズに応じて多彩な表示形態を実現する装飾体が提供される。
【図面の簡単な説明】
【０００８】
【図１】本発明の実施形態に係る取付具を用いた装飾体に関し、（ａ）はユニットがボード本体に取り付けられる前の状態を、（ｂ）はユニットがボード本体に取り付けられた後の状態を示す図である。
【図２】図１に示すボード本体を示す斜視図である。
【図３】図１に示すユニットを示す部分分解斜視図である。
【図４】図３に示すユニットの断面図である。
【図５】図１に示す取付具を示す斜視図である。
【図６】本発明の実施形態に係る装飾体の側面図であり、要部を断面で示す図である。
【発明を実施するための形態】
【０００９】
以下、図面を参照しながら、本発明の実施形態について詳細に説明するが、図示する形態は好ましい形態を示すものであり、本発明の範囲において適宜変更してもよい。
【００１０】
本発明の実施形態に係る装飾体１は、図１に示すように、ボード本体１１と、一以上のユニット２０を備えており、ボード本体１１の前面には一方の金具３１が取り付けられ、ユニット２０の後面には他方の金具３５が取り付けられ、一方の金具３１及び他方の金具３５は屈曲した形状として例えばＬ字状を有しており、一方の金具３１のうちボード本体１１の前面から前方に延びる部位３２の上面には一方の永久磁石４１が取り付けられ、他方の金具３５のうちユニット２０の裏面から後方に延びる部位３６の下面には他方の永久磁石４２が取り付けられて構成されている。
【００１１】
このように、取付具３０は、一方の金具３１と他方の金具３５とを備え、一方の金具３１のうちボード本体１１の前面から前方に延びる部位（「片部」と呼ぶ。）３２が、リング状の第１の永久磁石４１の中空を挿通した第１のねじ部材５８の軸部を挿通する貫通孔を有している。他方の金具３５のうちユニット２０の裏面から後方に延びる部位（「片部」と呼ぶ。）３６が、リング状の第２の永久磁石４２の中空を挿通した第２のねじ部材５９の軸部を挿通する貫通孔を有している。リング状の永久磁石４１，４２に挿通する第１のねじ部材５８，第２のねじ部材５９の各頭部は、リング状の第１の永久磁石４１及び第２の永久磁石４２から露出しないことが好ましい。そのためには、第１のねじ部材５８、第２のねじ部材５９が皿状の頭部を有し、第１の永久磁石４１、第２の永久磁石４２に第１のねじ部材５８、第２のねじ部材５９の頭部が挿入される形状を有していればよい。
【００１２】
その構成により、一方の金具３１を支持部材としてのボード本体１１に固定し、他方の金具３５を被取付部材としてのユニット２０に固定し、ユニット２０をボード本体１１の前側に配置して一方の金具３１と他方の金具３５の各片部３２，３６を対向させると、第１の永久磁石４１が他方の金具３５の片部３６を吸着し、第２の永久磁石４２が一方の金具３１の片部３６を吸着する。よって、ユニット２０がボード本体１１に取り付けられる。
【００１３】
したがって、複数の異なるユニット２０が予め準備されていることにより、需要者のニーズに応じてユニット２０の交換を短時間に簡単な手順ですることができ、複雑な交換の手間が省くことができる。ユニット２０を適宜交換することで、簡単な構造でユーザに提供する情報を付したパーツを容易に交換することができ、サービスの提供者や需要者のニーズに応じて多彩な表示形態を実現する装飾体１が提供される。
【００１４】
本発明の実施形態に係る取付具３０によれば、一方の金具３１は片部３２の先端で別の片部を直交するように延ばし、他方の金具３５は片部３６の先端で別の片部を直交するように延ばして、一方の金具３１及び他方の金具３５がＬ字状に形成されている。片部３２，３６は水平部３８とも呼び、別の片部は垂直部３７とも呼ぶ。一方の金具３１は、垂直部３７に設けた貫通孔にねじ部材５７を貫通させてボード本体１１に固定される。他方の金具３５は、垂直部３７に設けた貫通孔に第１のねじ部材５７を貫通させてユニット２０に固定される。そして、一方の金具３１では第１のねじ部材５７に対して給電配線の端子５６が装着され、他方の金具３５では第２のねじ部材５４に対して給電配線の端子が装着される。すると、一方の金具３１及び他方の金具３５によって、給電配線同士を電気的に接続することができる。
【００１５】
ユニット２０には一又は複数の発光モジュール５１が取り付けられて発光モジュール５１が配線５２で接続されており、発光モジュール５１に接続されていない側の配線末端５３が通電性の締結具５４により他方の金具３５に固定されている。一方、外部配線５５の末端５６が通電性の締結具５７により一方の金具３１に固定されている。
【００１６】
よって、他方の永久磁石４２が一方の金具３１を吸着し、一方の永久磁石４１が他方の金具３５を吸着することにより、ユニット２０がボード本体１１に取り付けられれば、外部配線５５から一方の金具３１、一方の磁石４１、他方の磁石４２及び他方の金具３５を経由して発光モジュール５１に給電が可能となる。
【００１７】
このように、ユニット２０内の発光モジュール５１に対して金具３１，３５の対を介在して配線の接続をすることができ、ユニット２０をボード本体１１に取り付けた後に、配線の接続それ自体をする必要がない。よって、本発明によれば、サービスの提供者や需要者のニーズに応じて多彩な表示形態を簡単に実現する装飾体が提供される。
【００１８】
さらに、具体的に好ましい形態について詳細に説明する。
ボード本体１１は、文字、図形、記号の少なくとも何れかが付された板状の部材である。ここで、「文字、図形、記号の少なくとも何れかが付された」とは、或る特定の形を有することを含み、例えば図２に示すように、正面視において左右に長い矩形であって、中央上部が楕円形の一部のような広がりを有する形をしており、ボード本体１１の輪郭と同じ形状であってやや小さめの枠囲みをしたものを含む。ボード本体１１の中央部左右には、例えば劇場を想起するような着色がなされている。
【００１９】
ボード本体１１において、図２に示すように、中央部と左右各部の前面には、縦方向に延びたガイド１２の対がそれぞれ取り付けられ、そのガイド１２の対の内側には、Ｌ字状の金具３１がそれぞれ取り付けられている。ガイド１２の対は、縦方向に延びてその上端部が広がっており、ユニット２０をガイド１２の対の上方から挿入し易くしている。また、Ｌ字状の各金具３１には、外部配線５５が結線されている。
【００２０】
ユニット２０に関し、図３に示すように、ボード本体１１の中央部、左右各部に対応して、三種類が用意されている。左右のユニット２１，２２は、図３に示す形態では同一の形態であるが、異なる形態であってもよい。ユニット２０には、文字、図形、記号の少なくとも何れかが付された立体形状を有している。ここで、「文字、図形、記号の少なくとも何れかが付された」とは、或る特定の形を有することを含む。
【００２１】
各ユニット２０は、図４に示すように、所定の輪郭形状を有するフロント部材２５と、フロント部材２５と対向するリア部材２６と、フロント部材２５の輪郭に沿った輪郭形状を有するサイド部材２７とで、内部空間２８を画成して構成されている。
【００２２】
内部空間２８には、一又は複数の発光モジュール５１が搭載され、複数の発光モジュール５１はそれぞれ直列に配線５２により接続されて、発光モジュール５１に接続されていない配線末端５３が、図１に示すように他方の金具３５に締結具５４により固定されている。
【００２３】
図２に示すように、中央にメインユニット２３を配置し、左右にサブユニット２１，２２を配置し、メインユニット２３だけ、或いはサブユニット２１，２２だけを交換することができる。
【００２４】
メインユニット２３は、図３の中央に示すように、さらに、所定の形状のユニットのパーツ２４がフロント部材２５に装着されて構成されてよい。また、ユニットのパーツ２４には複数の発光素子６１が並べられて文字列を構成するように設けられていることが好ましい。この場合には、発光素子６１が発光モジュール５１と配線６０，５２で接続されていることが好ましい。発光素子６１と発光モジュール５１とが配線６０，５２で接続されていることにより、ユニットのパーツ２４に装着した発光素子６１への給電のために、メインユニット２３をボード本体５１に取り付けた後に発光素子６１へ配線する必要がない。
【００２５】
屈曲した例えばＬ字状の金具３１，３５は、何れも、垂直部３７と水平部３８とからなり、垂直部３７には複数の例えば二つの孔が設けられ、水平部３８には少なくとも一つの孔が設けられている。ユニット２０側に取り付けられる他方の金具３５については、図１に示すように、垂直部３７がユニット２０に締結具５４で固定される。水平部３８が垂直部３７の下方末端からユニット２０の後ろに延びている。一方、ボード本体側に取り付けられる一方の金具３１については、図１に示すように、垂直部３７がボード本体１１に締結具５７で固定される。水平部３８が垂直部３７の上方末端からボード本体１１の前に延びている。
【００２６】
対となる一方の金具３１及び他方の金具３５について、ボード本体側の一方の金具３１がユニット側の他方の金具３５よりも下になり、ボード本体側の一方の金具３１がユニット側の他方の金具３５を支持する。
【００２７】
本発明の実施形態においては、図１に示すように、対となる一方の金具３１及び他方の金具３５の水平部３８には、少なくとも一つ以上の永久磁石４１，４２がそれぞれ取り付けられている。その際、ユニット側の他方の金具３５の水平部３８とボード本体側の一方の金具３１の水平部３８とは平面視で上下に重なっておりので、互いに干渉しない位置に、永久磁石４１，４２がそれぞれ取り付けられる。
【００２８】
図１に示すように、ユニット側の他方の金具３５には、その水平部３８のボード本体側に、他方の永久磁石４２が取り付けられる。ボード本体側の金具３１には、その水平部３８のユニット側に、一方の永久磁石４１が取り付けられる。図１とは異なり、ユニット側の他方の金具３５には、その水平部３８のユニット側に、永久磁石が取り付けられ、ボード本体側の一方の金具３１には、その水平部３８のボード本体側に、永久磁石が取り付けられてもよい。
【００２９】
対となる一方の金具３１及び他方の金具３５の何れにも永久磁石４１，４２を取り付けることにより、確実に、ユニット２０をボード本体１１に引っ掛けて取り付けることができ、ユニット２０の安定性もよい。特に、ユニット２０に前後方向に不意の力が作用しても、ユニット２０がボード本体１１から外れない。
【００３０】
ここで、一方の金具３１及び他方の金具３５はスチール製などの永久磁石４１，４２に引き付けられる素材で構成されていればよい。締結具５４，５７として、ボード本体１１、ユニット２０に金具３１，３５を固定するためのボルト及びナットが使用され、何れも導電性を有するとよい。締結具５８，５９として、永久磁石４１，４２を金具３１，３５に固定するためのボルト及びナットが使用され、何れも導電性であるとよい。締結具５４，５７乃至５９が導電性を有すれば、配線５２の末端５３と外部配線５６とをＬ字状の金具３１，３５で取付構造的にも電気的にも接続することができる。ボルト及びナットの他に、ワッシャーなどを追加しても良い。締結具５４，５７乃至５９は、金属メッキ等により導電性を付与されてもよい。
【００３１】
永久磁石４１，４２は、例えばネオジウム磁石が挙げられるが、その他の磁石でもよい。
金具３１，３５の水平部３８には、配線末端５３、外部配線５５に取り付けた金属製の圧着端子を取り付け、その圧着端子を締結部で金具に取り付けるとよい。
【００３２】
本発明に係る取付具及び装飾体は、図１乃至図５に示す形態に限定されるものではなく、サービス提供者や需要者のニーズに応じて種々変更してもよい。
【００３３】
本発明に係る装飾体６０は、図６に示すように、支持台６１に対して取付具７０を用いてユニット６５が取り付けられて構成される。
【００３４】
支持台６１は、支柱６２の下端に台座６３を設けて逆Ｔ字型に構成され、左右両側で対を成し、横木６４が左右の支柱６２の間に掛け渡されている。
【００３５】
一方の金具７１は、前述の形態と同様、垂直部及び水平部の各片部が連結されＬ字状を有する。水平部には、ねじ部材７２及びビス７３の軸部を貫通する貫通孔が設けられ、ねじ部材７２の軸部にリング状の第１の永久磁石７４を挿通し、一方の金具７１の貫通孔を通して横木６４に貫通させてねじ部材７２とナット７５とが締結され、一方の金具７１が横木６４に固定される。
【００３６】
一方、ユニット６５は、図４を参照して前述したのと同様、フロント部材６７とリア部材６６とを対向させて図示しないサイド部材により内部空間を構成し、その内部空間に発光モジュール６８を内蔵している。
【００３７】
他方の金具７１は、前述の形態と同様、垂直部及び水平部の各片部が連結されＬ字状を有する。他方の金具７１の水平部には、ねじ部材７７の軸部を貫通する貫通孔が設けられ、ねじ部材７７の軸部にリング状の第２の永久磁石７９を挿通し、他方の金具７６の貫通孔を通してナット８０で固定されている。他方の金具７６がリア部材６６にボルト及びナットでなる締結具７８で固定される。
【００３８】
取付具７０及び装飾体６０がこのような構成を有することにより、図１に示す装飾体１と同様に、一方の金具７１と他方の金具７６の水平部同士を対向させるようにして、ユニット６５を支持台６１に配置することにより、第１の永久磁石７４が他方の金具７６のうち水平部である片部を吸着し、第２の永久磁石７９が一方の金具７１のうち水平部の片部を吸着する。
【００３９】
従って、被取付部材としてのユニット６５を支持部材としての支持台６１に容易に取り付けることができ、また取り外しも容易である。
【００４０】
図６に示す取付具７０では、一方の金具７１は他方の金具７６と同様の構成にして部品の共通性を図っている。一方の金具７１では、第１の永久磁石７４が取り付けられる片部に複数の貫通孔が設けられ、そのうち、一つの貫通孔には第１の永久磁石７４を挿通したねじ部材７２を挿通し、一つの貫通孔には横木７３に取り付けるためのビス７３を挿通する。よって、一方の金具７１には一つの片部を設けたものでもよい。他方の金具７６についても、被取付部材によっては、一つの片部のみで構成してもよい。
【００４１】
図６では、前後にユニット６５を対となるように設けているが、前後何れか一方でもよく、またユニット６５に限らずボードのようなものでもよい。
【００４２】
図６では図示を省略するが、図１と同様に、一方の金具７１、他方の金具７６において、第１のねじ部材７２、第２のねじ部材７７、締結具７８等のねじ部材に対して給電配線の端子を装着して、一方の金具７１及び他方の金具７６を介してユニット６５を支持台６１に取り付けることにより、一方の金具７１及び他方の金具７６が、給電配線同士を電気的に接続することができる。
【００４３】
本発明の好ましい構成によれば、サービスの提供者や需要者のニーズに応じて多彩な表示形態を実現する装飾体を提供することができる。
【符号の説明】
【００４４】
１：装飾体
１１：ボード本体（支持部材）
１２：ガイド
２０：ユニット（被取付部材）
２１，２２：ユニット（サブユニット）
２３：ユニット（メインユニット）
２４：ユニットのパーツ
２５：フロント部材
２６：リア部材
２７：サイド部材
２８：内部空間
３１：一方の金具
３２：一方の金具のうちボード本体の前面から延びる部位（片部）
３５：他方の金具
３６：他方の金具のうちユニットの裏面から延びる部位（片部）
３７：垂直部（別の片部）
３８：水平部（片部）
４１：一方の永久磁石
４２：他方の永久磁石
５１：発光モジュール
５２，６０：配線
５３：配線末端
５４，５７，５８，５９：締結具（ねじ部材）
５５：外部配線
５６：外部配線の末端
５８：発光素子
６０：装飾体
６１：支持台（支持部材）
６２：支柱
６３：台座
６４：横木
６５：ユニット（被取付部材）
６６：リア部材
６７：フロント部材
６８：発光モジュール
７０：取付具
７１：一方の金具
７２：第１のねじ部材（ボルト）
７３：ビス
７４：第１の永久磁石
７５：ナット
７６：他方の金具
７７：第２のねじ部材（ボルト）
７８：締結具
７９：第２の永久磁石
８０：ナット
【図１】
2018092197.tif 000003
【図２】
2018092197.tif 000004
【図３】
2018092197.tif 000005
【図４】
2018092197.tif 000006
【図５】
2018092197.tif 000007
【図６】
2018092197.tif 000008